(57)【要約】【課題】割高感や品質懸念を生じることなく天井面の断熱性を高めた冷蔵庫を提供。【解決手段】後部に冷蔵庫制御部２３、前部に庫内照明灯２４を備えた天井面２２の、前記冷蔵庫制御部２３と対向する部分の内箱上面に第１真空断熱材３３を装着するとともに、前記庫内照明灯２４と対向する部分の外箱内面に前記第１真空断熱材とは別体の第２真空断熱材３４を装着した構成としてある。これにより、第１、第２真空断熱材は天井面の形状に合わせて例えば略Ｚ字状に成型するなどの必要がないため、板状の真空断熱材をそのまま用いることができるとともに、バインダーで固めた汎用性の高い真空断熱材を用いることができるので、生産過程の搬送時等に真空断熱材が変形して芯材がガスバリヤ用の外被材を傷つける恐れなども大幅に低減することができ、割高感や品質懸念を生じることなく天井面の断熱性を向上できる。【選択図】図３
2015059678.tif 000002
【特許請求の範囲】
【請求項１】
外箱と内箱との間に発泡断熱材を充填して構成した冷蔵庫本体を備えた冷蔵庫であって、前記冷蔵庫本体の天井面は、その後方上部に冷蔵庫制御部を有するとともに前方冷蔵室内面側に庫内照明灯を備えていて、前記冷蔵庫制御部と対向する部分の内箱側に第１真空断熱材を装着するとともに、前記庫内照明灯と対向する部分の外箱側に前記第１真空断熱材とは別体の第２真空断熱材を装着した冷蔵庫。
【請求項２】
第１の真空断熱材と第２の真空断熱材はその端部分をオーバーラップさせた請求項１記載の冷蔵庫。
【請求項３】
冷蔵庫制御部と対向する第１の真空断熱材は冷蔵庫制御部との間に発泡断熱材が位置するように内箱上面に直接装着するとともに、庫内照明灯と対向する第２の真空断熱材も庫内照明灯との間に発泡断熱材が位置するように外箱内面に直接装着した請求項１または２記載の冷蔵庫。
【請求項４】
天井面には冷蔵庫制御部を収納する制御部収納ケースを装着するとともに、当該冷蔵庫制御部の後方に圧縮機を収容する凹状の機械室設け、この機械室を形成する機械室ケースの冷蔵庫制御部側の開口縁部と前記冷蔵庫制御部を収納した制御部収納ケースの機械室側開口縁部とを係合させて連結した請求項１〜３のいずれか１項記載の冷蔵庫。
【発明の詳細な説明】
【技術分野】
【０００１】
本発明は冷蔵庫に関し、特に冷蔵庫本体の天井面断熱構成に関するものである。
【背景技術】
【０００２】
一般にこの種の冷蔵庫は、断熱性を有する冷蔵庫本体内に冷蔵室、冷凍室、野菜室等を備え、これら各冷蔵室、冷凍室、野菜室等に食品を収納し冷却保存している。
【０００３】
このため冷蔵庫本体及び扉は断熱性を確保する必要があり、例えば冷蔵庫本体では、外箱と内箱との間に発泡ウレタンを充填し、この冷蔵庫本体の背面、側面に真空断熱材を設けてある。そして、最近では天井面に冷蔵庫制御部を配置するようになった関係から天井面にも真空断熱材を設けたものが見られる（例えば、特許文献１参照）。
【０００４】
図８は上記特許文献１に記載された冷蔵庫を示し、この冷蔵庫は冷蔵庫本体１０１の天井面１０２後方上部に冷蔵庫制御部１０３が設けてあって、この冷蔵庫制御部１０３からの熱を遮断するように真空断熱材１０４が設けてある。この真空断熱材１０４は、天井面１０２の後方上部に冷蔵庫制御部１０３が設けられていてこの部分が凹部１０５となっているから、この天井面形状に沿った形の略Ｚ字状に成型して、天井面１０２を構成する外箱１０６内面（あるいは図示しないが内箱上面）に設けてある。なお、図中１０７は天井面１０２を構成する内箱１０８の冷蔵室内面側に設けられている庫内照明灯である。
【先行技術文献】
【特許文献】
【０００５】
【特許文献１】特開２００９−２４９２２号公報
【発明の概要】
【発明が解決しようとする課題】
【０００６】
上記特許文献１記載の構成によれば、天井面外方からの外気熱はもちろん、冷蔵庫制御部１０４からの熱も真空断熱材１０３によって遮断することができて、その断熱効果は高いものとなる。
【０００７】
しかしながら、このような構成では、真空断熱材１０４を略Ｚ字状に成型する必要があって生産コストがかかる上に、略Ｚ字状に成型する関係からグラスウール等の芯材をバインダーで固めた一般的な真空断熱材を使用することができないこともあって割高になるという課題があった。
【０００８】
また、真空断熱材１０４は略Ｚ字状に成型可能な柔軟なものを使用せざるを得ないため、保形性が悪く、生産過程の搬送時に変形して芯材がガスバリヤ用の外被材を傷つける恐れが高くなる。そのため生産過程時の真空断熱材の取扱いに注意が必要になってこの点からも生産性低下による割高感が増すとともに、真空断熱材自体の品質にも懸念が生じることになる。
【０００９】
本発明はこのような点に鑑みてなしたもので、割高感や品質懸念を生じることなく天井面の断熱性を高めた冷蔵庫を提供するものである。
【課題を解決するための手段】
【００１０】
本発明は上記目的を達成するため、冷蔵庫本体の天井面は、その後方上部に冷蔵庫制御部を有するとともに前方冷蔵室内面側に庫内照明灯を備えていて、前記冷蔵庫制御部と対
向する部分の内箱側に第１真空断熱材を装着するとともに、前記庫内照明灯と対向する部分の外箱側に前記第１真空断熱材とは別体の第２真空断熱材を装着して構成してある。
【００１１】
これにより、第１、第２真空断熱材は天井面の形状に合わせて例えば略Ｚ字状に成型するなどの必要がないため、板状の真空断熱材をそのまま用いることができるとともに、バインダーで固めた保形性の良い一般的な真空断熱材を用いることができるので、生産過程の搬送時等に真空断熱材が変形して芯材がガスバリヤ用の外被材を傷つけるなどの恐れも大幅に低減することができる。しかも、冷蔵庫制御部の設置部分と庫内照明灯の設置部部分の断熱を行う真空断熱材をそれぞれ別々にして設けたので、冷蔵庫制御部分側の真空断熱材の厚みは庫内照明灯の高さ寸法で吸収し、庫内照明灯側の真空断熱材の厚みは冷蔵庫制御部の高さ方向の寸法で吸収することができて、真空断熱材を設けたことによる厚み増加を解消することができ、天井面壁厚を薄く保ちつつ断熱性を向上させることができる。
【発明の効果】
【００１２】
本発明は、上記した構成により、冷蔵庫制御部や庫内照明灯等を備えている天井面であっても真空断熱材は特別な加工をせず板状の一般的な真空断熱材を使用して壁厚増加を抑制しつつ断熱することができるとともに、生産過程時に真空断熱材を傷つけるなどのことも抑制できて断熱性低下の懸念も大幅に低減でき、安価で断熱性の高い冷蔵庫を提供することができる。
【図面の簡単な説明】
【００１３】
【図１】本発明の実施の形態１における冷蔵庫の外観斜視図
【図２】同冷蔵庫の概略断面図
【図３】同冷蔵庫の天井部分を示す断面図
【図４】同冷蔵庫の冷蔵庫本体を構成する内箱の天井部分を示す斜視図
【図５】同冷蔵庫の天井部分を背面側から見た斜視図
【図６】同冷蔵庫の天井部分の冷蔵庫制御部と機械室を示す斜視図
【図７】同図６のＡ−Ａ線要部拡大断面図
【図８】従来の冷蔵庫の天井部分を示す断面図
【発明を実施するための形態】
【００１４】
第１の発明は、外箱と内箱との間に発泡断熱材を充填して構成した冷蔵庫であって、前記冷蔵庫の冷蔵庫本体天井面はその後方上部に冷蔵庫制御部を有するとともに前方の冷蔵室内面側に庫内照明灯を備えていて、前記冷蔵庫制御部と対向する部分の内箱側に第１真空断熱材を装着するとともに、前記庫内照明灯と対向する部分の外箱側に前記第１真空断熱材とは別体の第２真空断熱材を装着した構成としてある。
【００１５】
これにより、第１、第２真空断熱材は天井面の形状に合わせて例えば略Ｚ字状に成型するなどの必要がないため、板状の真空断熱材をそのまま用いることができるとともに、バインダーで固めた保形成の良い真空断熱材を用いることができるので、生産過程の搬送時等に真空断熱材が変形して芯材がガスバリヤ用の外被材を傷つけるなどの恐れも大幅に低減することができる。しかも、冷蔵庫制御部の設置部分と庫内照明灯の設置部部分の断熱を行う真空断熱材をそれぞれ別々にして設けたので、天井面の壁厚が厚くなるのを抑制することができる。すなわち、一枚の直性状の真空断熱材を冷蔵庫制御部の下端面と庫内照明灯の上端面との間に設置すると、この真空断熱材の厚み分だけ天井面の壁厚が厚くなるが、上記構成によれば冷蔵庫制御部分側の真空断熱材の厚みは庫内照明灯の高さ寸法で吸収し、庫内照明灯側の真空断熱材の厚みは冷蔵庫制御部の高さ方向の寸法で吸収することができて、真空断熱材を設けたことによる厚み増加を解消することができ、天井面壁厚を薄く保ちつつ断熱性を向上させることができる。
【００１６】
第２の発明は、第１の発明において、前記第１の真空断熱材と第２の真空断熱材はその端部分をオーバーラップさせた構成としてある。
【００１７】
これにより、天井面の庫内照明灯側から冷蔵庫制御部側に渡って切れ目なく真空断熱材で断熱することができ、天井面の断熱効果を向上させることができる。
【００１８】
第３の発明は、第１または第２の発明において、前記冷蔵庫制御部と対向する第１の真空断熱材は冷蔵庫制御部との間に発泡断熱材が位置するように内箱上面に直接装着するとともに、庫内照明灯と対向する第２の真空断熱材も庫内照明灯との間に発泡断熱材が位置するように外箱内面に直接装着した構成としてある。
【００１９】
これにより、各真空断熱材を発熱源となる冷蔵庫制御部や庫内照明灯に接して取り付けた場合に生じる外被熱伝導による断熱性の若干の低下も防止でき、天井面の断熱性をより高いものとすることができる。また、第１真空断熱材を直接装着した内箱と第２真空断熱材を直接装着した外箱とを組み合わせてそれらの間に発泡断熱材を充填すればよく、その際、内箱と外箱にそれぞれ真空断熱材保持部材を組み付けて第１、第２真空断熱材を中空状態で保持させるような手間が必要でなく、生産性も向上してコスト抑制効果を向上させることができる。
【００２０】
第４の発明は、第１〜第３の発明において、前記天井面には冷蔵庫制御部を収納する制御部収納ケースを装着するとともに、当該冷蔵庫制御部の後方に圧縮機を収容する凹状の機械室を設け、この機械室を形成する機械室ケースの冷蔵庫制御部側の開口縁部と前記冷蔵庫制御部を収納した制御部収納ケースの機械室側開口縁部とを係合させて連結した構成としてある。
【００２１】
これにより、冷蔵庫制御部と機械室との接合部分の強度を向上させることができ、冷蔵庫制御部に対向して真空断熱材を設けたことによりこれら両者間の隙間が狭くなって発泡断熱材の充填発泡時に当該発泡圧が前記冷蔵庫制御部と機械室との接合部分に集中的に加わるようなことがあっても、何ら専用の補強部材を設けることなくその接合部分の変形を防止でき、冷蔵庫制御部とともに圧縮機等を設置している天井面であっても当該天井面の外観平面度を良好に保持することができる。
【００２２】
以下、本発明の実施の形態について、図面を参照しながら説明する。なお、この実施の形態によって本発明が限定されるものではない。
【００２３】
（実施の形態１）
図１は本発明の実施の形態１における冷蔵庫の外観斜視図、図２は同冷蔵庫の概略断面図、図３は同冷蔵庫の天井部分を示す断面図、図４は同冷蔵庫の冷蔵庫本体を構成する内箱の天井部分を示す斜視図、図５は同冷蔵庫の天井部分を背面側から見た斜視図、図６は同冷蔵庫の天井部分の冷蔵庫制御部と機械室を示す斜視図、図７は同図６のＡ−Ａ線要部断面図である。
【００２４】
図１、図２において、冷蔵庫本体１は、前方に開口する金属製（例えば鉄板）の外箱２と、硬質樹脂製（例えばＡＢＳ）の内箱３と、これら外箱２と内箱３との間に充填した硬質発泡ウレタン等の発泡断熱材４からなる。上記冷蔵庫本体１はその内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９とを有する。また、前記冷蔵室５の前面は、例えば観音開き式の扉１０，１０により開閉自由に閉塞し、切替室６及び製氷室７と冷凍室８と野菜室９の前面部は引き出し式の扉１１，１２，１３，１４によって開閉自由に閉塞してある。
【００２５】
冷蔵庫本体１の背面には冷却室１６があり、冷気を生成する冷却器１７と、冷気を各室に供給する送風ファン１８とが設けてある。また、上記冷蔵庫本体１の本体天井後部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００２６】
ここで、上記冷蔵庫本体１の天井面２２にはその後方上部に前記圧縮機１９や送風ファン１８等を制御する冷蔵庫制御部２３が設けてあり、更にその前方の冷蔵室内面側に庫内照明灯２４を備えている。
【００２７】
図３は上記冷蔵庫本体１の天井部分を示し、前記冷蔵庫制御部２３は外箱２の天井面２２の後方寄り部分に制御部収納ケース２５を嵌め込み装着し、この制御部収納ケース２５に制御基板２６を取り付けて構成してある。
【００２８】
また、庫内照明灯２４は省エネ化のためにＬＥＤ等を用いて構成してあり、内箱３の前方の冷蔵室５内面側に臨むように装着してある。
【００２９】
そして、前記天井面２２の冷蔵庫制御部２３の後方には凹状の機械室２７を設け、この機械室２７に前記した圧縮機１９やこれを冷却する冷却ファン２８等が組み込んである。
【００３０】
前記機械室２７は図６に示す様に外箱２の天井面後部から背面板上部にかけて形成した開口に機械室ケース２９を嵌め込み装着して構成してある。そして、この機械室ケース２９と前記制御部収納ケース２５とは一体に連結してある。具体的には図７に示す様に制御部収納ケース２５の前記機械室側開口縁部の長手方向に一体形成した複数の係合片３０を前記機械室ケース２９の冷蔵庫制御部側の開口縁部に設けた係止孔３１に嵌合弾着させて一体に係合させてある。なお、図７中、３２は制御基板２６の上方から制御部収納ケース２５に覆着した制御部収納蓋である。
【００３１】
以上のように構成された上記冷蔵庫本体１の天井面２２には、図３に示す様に、冷蔵庫制御部２３と対向する部分の内箱３側に第１真空断熱材３３を装着するとともに、前記庫内照明灯２４と対向する部分の外箱２側に前記第１真空断熱材３３とは別体の第２真空断熱材３４が装着してある。
【００３２】
この第１真空断熱材３３及び第２真空断熱材３４は周知の如くグラスウール等の芯材をガスバリヤ用の例えばアルミシート等の外被材で真空密封して構成したもので、例えば特開２０１２−１０２７５８号公報、特開２０１１−９４６３７号公報に記載しているようなもので、板状でかつ汎用のものである。
【００３３】
そして、この実施の形態では、前記冷蔵庫制御部２３と対向する第１真空断熱材３３は冷蔵庫制御部２３との間に発泡断熱材４が位置するように内箱３上面に両面テープを貼り付けるなどして直接装着するとともに、庫内照明灯２４と対向する第２真空断熱材３４も庫内照明灯２４との間に発泡断熱材４が位置するように外箱２内面に両面テープで貼りつけるなどして直接装着してある。
【００３４】
さらに、上記第１真空断熱材３３と第２真空断熱材３４は、図３及び図５のＡに示す様に第１真空断熱材３３の庫内照明灯側端部が第２真空断熱材３４の冷蔵庫制御部側端部にオーバーラップするように設けてある。
【００３５】
以上のように構成したこの冷蔵庫は、天井面２２の冷蔵庫制御部２３と対向する部分の
内箱３側に第１真空断熱材３３を、そして前記庫内照明灯２４と対向する部分の外箱２側に前記第１真空断熱材３３とは別体の第２真空断熱材３４を備えているから、前記第１真空断熱材３３と第２真空断熱材３４によって天井面２２の断熱効果を高めることができる。
【００３６】
しかも上記第１、第２真空断熱材３３、３４はそれぞれ別体物としてあるから、天井面２２の形状に合わせて例えば略Ｚ字状に成型するなどの必要がなく、板状の真空断熱材をそのまま用いることができる。よって、真空断熱材としては、バインダーで固めた保形成の良い真空断熱材を用いることができるので、生産過程の搬送時等に真空断熱材が変形して芯材がガスバリヤ用の外被材を傷つけるなどのことを大幅に低減することができる。
【００３７】
また、上記した如く冷蔵庫制御部２３の設置部分と庫内照明灯２４の設置部部分の断熱を行う真空断熱材をそれぞれ別々にして設けたので、天井面２２の壁厚が厚くなるのを抑制することができる。すなわち、一枚の直性状の真空断熱材を冷蔵庫制御部２３の下端面と庫内照明灯２４の上端面との間に設置すると、この真空断熱材の厚み分だけ天井面２２の壁厚が厚くなるが、上記構成によれば冷蔵庫制御部分側の第１真空断熱材３３の厚みは庫内照明灯２４の高さ寸法で吸収し、庫内照明灯側の第２真空断熱材３４の厚みは冷蔵庫制御部２３の高さ方向の寸法で吸収することができて、真空断熱材を設けたことによる厚み増加を解消することができる。
【００３８】
したがって、冷蔵庫制御部２３や庫内照明灯２４等を備えている天井面２２であっても、天井面壁厚を厚くすることなく、かつ、板状の一般的な真空断熱材を使用し、さらに真空断熱材を傷つけるなどのことも抑制して断熱性低下の懸念も大幅に低減しつつ、安価で断熱性の高い冷蔵庫とすることができる。
【００３９】
また、この実施の形態では、上記第１真空断熱材３３と第２真空断熱材３４は、第１真空断熱材３３の庫内照明灯２４側端部が第２真空断熱材３４の冷蔵庫制御部２３側端部にオーバーラップするように設けてあるから、天井面２２の庫内照明灯２４側から冷蔵庫制御部２３側に渡って切れ目なく真空断熱材で断熱することができ、天井面２２の断熱効果を向上させることができる。また、第１真空断熱材３３は冷蔵庫制御部２３の投影部分だけでなくオーバーラップ域Ａを含めて庫内側をカバーするため、高温になり易い冷蔵庫制御部２３の庫内への熱伝導を最小化できる。
【００４０】
さらに、前記冷蔵庫制御部２３と対向する第１真空断熱材３３は冷蔵庫制御部２３との間に発泡断熱材４が位置するように内箱３上面に両面テープで張り付けるなどして直接装着するとともに、庫内照明灯２４と対向する第２真空断熱材３４も庫内照明灯２４との間に発泡断熱材４が位置するように外箱２内面に両面テープで張り付けるなどして直接装着してあるから、天井面２２の断熱性を高め、かつ、生産性も向上させてコスト抑制を図ることができる。
【００４１】
すなわち、前記各真空断熱材を発熱源となる冷蔵庫制御部２３や場合によっては発熱減ともなる庫内照明灯２４に接して取り付けると、これらの熱が真空断熱材のアルミシート等で構成されている外被材を介して熱伝導拡散することにより若干の断熱性低下を引き起こす恐れがある。しかしながら、この実施の形態では、前記第１真空断熱材３３及び第２真空断熱材３４は何れも熱源となる冷蔵庫制御部２３及び庫内照明灯２４との間に発泡断熱材４が介在していて、冷蔵庫制御部２３及び庫内照明灯２４からの熱をこの発泡断熱材４によって遮断するようになるので、天井面２２の断熱性をより高いものとすることができるのである。
【００４２】
また、冷蔵庫本体１の成型時には、第１真空断熱材３３を直接装着した内箱３と第２真
空断熱材３４を直接装着した外箱２とを組み合わせてそれらの間に発泡断熱材４を充填すればよく、その際、内箱３と外箱２にそれぞれ真空断熱材保持部材を組み付けて第１、第２真空断熱材３３、３４を中空状態で保持させるような手間が必要でなくなり、この点から生産性も向上してコスト抑制を図ることができるのである。
【００４３】
また、この冷蔵庫では天井面２２の後方上部に機械室２７を設けて圧縮機１９を設けたことによって冷蔵庫本体１下部の野菜室９の容積を向上させつつ、冷蔵庫制御部２３を天井面２２に設けたことによって生じやすくなる発泡断熱材４の発泡圧による天井面２２の浮き上がり変形も防止することができる利点がある。すなわち、この実施の形態では、前記天井面２２に設けた制御部収納ケース２５の機械室側開口縁部の係合片３０を前記機械室ケース２９の冷蔵庫制御部側の開口縁部に設けた係止孔３１に嵌合弾着させて一体に係合させ連結してあるから、冷蔵庫制御部２３と機械室２７との接合部分の強度が相互補完作用によって向上することになる。したがって、冷蔵庫制御部２３に対向して第１真空断熱材３３を設けたことによりこれら両者間、すなわち、冷蔵庫制御部２３と第１真空断熱材３３との間の隙間が狭くなって発泡断熱材４の充填発泡時に当該発泡圧が前記冷蔵庫制御部２３と機械室２７との接合部分に集中的に加わっても、何ら専用の補強部材を設けることなくその接合部分の変形を防止でき、冷蔵庫制御部２３とともに圧縮機１９等を設置していても天井面２２の外観平面度を良好に保持することができるのである。
【００４４】
以上、本発明の実施形態を説明したが、上記実施の形態は本発明を実施するうえでの一例として示したものであり、本発明の目的を達成する範囲内で種々変更可能であることは言うまでもない。
【００４５】
例えば、圧縮機１９を設ける機械室２７を冷蔵庫本体１の後方上部に設けたものを例示したが、これは従来と同様冷蔵庫本体１の下部後方に設けてもよいものである。
【産業上の利用可能性】
【００４６】
以上のように本発明は、冷蔵庫制御部や庫内照明灯等を備えている天井面であっても真空断熱材は特別な加工をせず板状の一般的な真空断熱材を使用して壁厚増加を抑制しつつ断熱することができるとともに、生産過程時に真空断熱材を傷つけるなどのことも抑制できて断熱性低下の懸念も大幅に低減でき、安価で断熱性の高い冷蔵庫を提供することができる。よって、一般用はもちろん業務用の冷蔵庫やワインクーラーにも幅広く適用できる。
【符号の説明】
【００４７】
１  冷蔵庫本体
２  外箱
３  内箱
４  発泡断熱材
５  冷蔵室
６  切替室
７  製氷室
８  冷凍室
９  野菜室
１０，１１，１２，１３，１４  扉
１６  冷却室
１７  冷却器
１８  送風ファン
１９  圧縮機
２０  放熱パイプ
２１  キャピラリーチューブ
２２  天井面
２３  冷蔵庫制御部
２４  庫内照明灯
２５  制御部収納ケース
２６  制御基板
２７  機械室
２８  冷却ファン
２９  機械室ケース
３０  係合片
３１  係止孔
３２  制御部収納蓋
３３  第１真空断熱材
３４  第２真空断熱材
【図１】
2015059678.tif 000003
【図２】
2015059678.tif 000004
【図３】
2015059678.tif 000005
【図４】
2015059678.tif 000006
【図５】
2015059678.tif 000007
【図６】
2015059678.tif 000008
【図７】
2015059678.tif 000009
【図８】
2015059678.tif 000010